(57)【要約】【課題】ソケットの電源導通或いは遮断を制御することで、感電防止ソケットの目的を達成し、安全性と使用の利便性が高い感電防止ソケットの回路の提供。【解決手段】感電防止ソケットの回路１００は、パワーサプライユニット１、探知ユニット２、スイッチユニット３を備え、パワーサプライユニット１は、入力された電源の電圧を低下、整流し、電圧を出力し、探知ユニット２とスイッチユニット３に提供し、探知ユニット２は、探知光線の発送と受信を利用し、プラグのピンが挿入口中に正確に挿入されたか否かを判断し、これによりスイッチ制御信号を発信し、スイッチユニット３は、スイッチ制御信号を受信し、スイッチ制御信号に基づき、インダクター式スイッチ部品Ｓ１を制御し導通或いは遮断し、これにより感電防止ソケットは電源を提供或いは提供しない。【選択図】図１
2010251133.tif 000002
【特許請求の範囲】
【請求項１】
光探知方式を利用し、プラグの電極ピンが挿入口内に正確に挿入されたか否かを判断し、電源を提供するかどうかを決定し、こうして電源供給の安全性を達成し、
感電防止ソケットの回路は、パワーサプライユニット、探知ユニット、スイッチユニットを備え、
前記パワーサプライユニットは、入力された電源の電圧を低下させ、整流し、電圧を出力し、前記探知ユニットと前記スイッチユニットに提供し、
前記探知ユニットは、プラグのピンが挿入口中に正確に挿入されたか否かを探知して判断し、これにより制御信号を発信し、前記探知ユニットはさらに、光発射ユニットと光受領ユニットを備え、前記光発射ユニットは、前記光受信ユニットへと探知光線を発送し、  前記スイッチユニットは、前記探知ユニットが発送した制御信号を受信し、前記制御信号に基づき、ソケットの電源の導通或いは遮断を制御し、こうしてソケットに電源を提供するか否かを判断することを特徴とする感電防止ソケットの回路。
【請求項２】
請求項１記載の感電防止ソケットの回路において、前記パワーサプライユニットは、電圧低下回路、整流フィルター回路、電圧安定回路を備え、
前記電圧低下回路は、外部から入力された電力の電圧を低下させ、
前記整流フィルター回路は、前記電圧低下回路が出力した交流電力を直流電力に転換した後、その電圧に対してフィルタリングを行ない、
前記電圧安定回路は、前記整流フィルター回路が出力した電圧を安定させることを特徴とする感電防止ソケットの回路。
【請求項３】
請求項１記載の感電防止ソケットの回路において、前記探知ユニット中の光発射ユニットは、１組の発光部品を備え、
前記光受領ユニットは、１組の感光部品を備え、
前記１組の発光部品と前記１組の感光部品は、挿入口の相対する側に設置し、
前記１組の感光部品が、前記１組の発光部品の前記探知光線を受け取っていない時には、スイッチを導通させる制御信号を前記スイッチユニットに伝送することを特徴とする感電防止ソケットの回路。
【請求項４】
請求項１記載の感電防止ソケットの回路において、前記スイッチユニットは、インダクター式スイッチ部品、第一スイッチユニット、第二スイッチユニットを備え、
前記インダクター式スイッチ部品が導通すると、前記感電防止ソケットは電源を出力し、前記インダクター式スイッチ部品がオフになると、前記感電防止ソケットは電源を出力せず、
前記第一スイッチ部品が導通し、前記第二スイッチ部品がオフである時には、前記インダクター式スイッチ部品は、磁場がないことでオフ状態となり、
前記第一スイッチ部品がオフで、前記第二スイッチ部品が導通する時には、前記インダクター式スイッチ部品は、磁場を受け導通状態となることを特徴とする感電防止ソケットの回路。
【請求項５】
請求項３記載の感電防止ソケットの回路において、前記スイッチユニットはさらに、発光ユニットを含み、
前記発光ユニットは、前記インダクター式スイッチ部品が、磁場があることで、導通状態になると、光を発することを特徴とする感電防止ソケットの回路。
【発明の詳細な説明】
【技術分野】
【０００１】
本発明は回路に関し、特に感電防止ソケットの回路に関する。
【背景技術】
【０００２】
家電製品の普及に従い、ソケットも各家庭の必需品となっている。しかし、子供は好奇心が強いため、クギ、銅線、或いは他の物品をソケットの孔に挿し込み、また使用者がソケットにプラグを挿し込む時、不注意で、感電が起きてしまうことがある。
【０００３】
よって安全のため、しばしばソケットには、感電防止の保護メカニズムを設置する。特許文献１に掲示する感電防止ソケットは、台板、該台板上に嵌合する台体、多数の電極、多数の絶縁ブロックを備える。台体上には、挿入孔を開設する。電極は、台体上に設置し、台板に位置する挿入孔下方に位置する。絶縁ブロックは、挿入孔と電極との間に設置し、絶縁ブロック上には、上下に貫通し、台板上の挿入孔と対応する穿孔を開設する。プラグの挿入接続端子が、感電防止ソケットに完全には挿入されていない時点では、挿入接続端子は、絶縁ブロックだけと接触し、感電防止ソケットとは通電しない。こうして、感電防止ソケットは、感電防止の効果を達成することができる。
【０００４】
特許文献２に掲示する感電防止ソケットは、外殻、挿入孔、金属接触片、導線を備える。外殻表面には、各挿入口に対応して円形のネジヤマ槽を形成し、ネジヤマ槽の円心は、挿入口の中心である。ネジヤマ槽の表面のネジヤマには、回転蓋を接続し、回転蓋表面には別に一対の挿入口を開設する。挿入口と外殻の挿入口とは、大きさ、位置、間隔距離が相同である。外殻上のネジヤマ槽内の縁位置には、突起ガード板を形成し、回転蓋内壁にも、突起ガード板を備える。２個のガード板間は、バネ接続する。通電時には、先ず、プラグを回転蓋表面の挿入口内に挿入し、バネを圧迫し、回転蓋を回転させる。回転蓋挿入口と外殻挿入口が重なると、プラグは下方へと外殻挿入口に挿入され、金属接触片と接触し通電する。こうして感電防止の目的を達成する。
【０００５】
しかし、上記した挿入口ガード部品の構造と回転蓋挿入口の構造は共に、機械構造により感電防止の目的を達成するものであるため、安全性は劣り、また使用の利便性が低い。
【先行技術文献】
【特許文献】
【０００６】
【特許文献１】中華人民共和国特許第200820105388号明細書
【特許文献２】中華人民共和国特許第200720014111号明細書
【発明の概要】
【発明が解決しようとする課題】
【０００７】
本発明の目的は、ソケット内に設置し、ソケットの安全性を向上させ、使用の利便性が高い感電防止ソケットの回路を提供することである。
感電防止ソケットの回路は、パワーサプライユニット、探知ユニット、スイッチユニットを備え、該パワーサプライユニットは、入力された電源の電圧を低下、整流し、電圧を出力し、該探知ユニットと該スイッチユニットに提供し、該探知ユニットは、探知光線の発送と受信を利用し、プラグのピンが挿入口中に正確に挿入されたか否かを判断し、これによりスイッチ制御信号を発信し、該スイッチユニットは、スイッチ制御信号を受信し、スイッチ制御信号に基づき、インダクター式スイッチを制御し導通或いは遮断し、これにより感電防止ソケットは電源を提供或いは提供しない。
【課題を解決するための手段】
【０００８】
請求項１の発明は、光探知方式を利用し、プラグの電極ピンが挿入口内に正確に挿入されたか否かを判断し、電源を提供するかどうかを決定し、こうして電源供給の安全性を達成し、
感電防止ソケットの回路は、パワーサプライユニット、探知ユニット、スイッチユニットを備え、
前記パワーサプライユニットは、入力された電源の電圧を低下させ、整流し、電圧を出力し、前記探知ユニットと前記スイッチユニットに提供し、
前記探知ユニットは、プラグのピンが挿入口中に正確に挿入されたか否かを探知して判断し、これにより制御信号を発信し、前記探知ユニットはさらに、光発射ユニットと光受領ユニットを備え、前記光発射ユニットは、前記光受信ユニットへと探知光線を発送し、  前記スイッチユニットは、前記探知ユニットが発送した制御信号を受信し、前記制御信号に基づき、ソケットの電源の導通或いは遮断を制御し、こうしてソケットに電源を提供するか否かを判断することを特徴とする感電防止ソケットの回路としている。
請求項２の発明は、請求項１記載の感電防止ソケットの回路において、前記パワーサプライユニットは、電圧低下回路、整流フィルター回路、電圧安定回路を備え、
前記電圧低下回路は、外部から入力された電力の電圧を低下させ、
前記整流フィルター回路は、前記電圧低下回路が出力した交流電力を直流電力に転換した後、その電圧に対してフィルタリングを行ない、
前記電圧安定回路は、前記整流フィルター回路が出力した電圧を安定させることを特徴とする感電防止ソケットの回路としている。
請求項３の発明は、請求項１記載の感電防止ソケットの回路において、前記探知ユニット中の光発射ユニットは、１組の発光部品を備え、
前記光受領ユニットは、１組の感光部品を備え、
前記１組の発光部品と前記１組の感光部品は、挿入口の相対する側に設置し、
前記１組の感光部品が、前記１組の発光部品の前記探知光線を受け取っていない時には、スイッチを導通させる制御信号を前記スイッチユニットに伝送することを特徴とする感電防止ソケットの回路としている。
請求項４の発明は、請求項１記載の感電防止ソケットの回路において、前記スイッチユニットは、インダクター式スイッチ部品、第一スイッチユニット、第二スイッチユニットを備え、
前記インダクター式スイッチ部品が導通すると、前記感電防止ソケットは電源を出力し、前記インダクター式スイッチ部品がオフになると、前記感電防止ソケットは電源を出力せず、
前記第一スイッチ部品が導通し、前記第二スイッチ部品がオフである時には、前記インダクター式スイッチ部品は、磁場がないことでオフ状態となり、
前記第一スイッチ部品がオフで、前記第二スイッチ部品が導通する時には、前記インダクター式スイッチ部品は、磁場を受け導通状態となることを特徴とする感電防止ソケットの回路としている。
請求項５の発明は、請求項３記載の感電防止ソケットの回路において、前記スイッチユニットはさらに、発光ユニットを含み、
前記発光ユニットは、前記インダクター式スイッチ部品が、磁場があることで、導通状態になると、光を発することを特徴とする感電防止ソケットの回路としている。
【発明の効果】
【０００９】
本発明感電防止ソケットは、光探知方式を利用し、探知ユニットにより、プラグのピンが挿入口内に正確に挿入されたか否かを判断し、これに基づき制御信号を発送し、スイッチユニットは、制御信号を受信し、制御信号に基づき、電源の導通と遮断を制御し、こうして感電防止の目的を達成するため、安全性と使用の利便性が高い。
【図面の簡単な説明】
【００１０】
【図１】本発明の一実施例による感電防止ソケットの回路図である。
【発明を実施するための形態】
【００１１】
図１に示すように、本発明感電防止ソケット回路１００は、パワーサプライユニット１、探知ユニット２、スイッチユニット３を備える。パワーサプライユニット１は、電圧低下回路１１、整流フィルター回路１２、電圧安定回路１３を備える。電圧低下回路１１は、並列接続する電圧低下キャパシターＣ１と第一レジスターＲ１を備える。電圧低下キャパシターＣ１と第一レジスターＲ１の一端には、電源入力ライブ線端Ｌｉｎを電気的に接続し、電圧低下キャパシターＣ１と第一レジスターＲ１の反対端には、整流フィルター回路１２を電気的に接続する。電圧低下回路１１により、外部電源の電圧を低下させる。
【００１２】
整流フィルター回路１２は、相互に接続する第一整流ダイオードＢＤ１、第二整流ダイオードＢＤ２、第三整流ダイオードＢＤ３、第四整流ダイオードＢＤ４を備える。第一整流ダイオードＢＤ１の負極は、電圧低下キャパシターＣ１と第一レジスターＲ１の一端に電気的に接続する。第一整流ダイオードＢＤ１の正極と第三整流ダイオードＢＤ３の正極は、アースする。第三整流ダイオードＢＤ３の負極と第四整流ダイオードＢＤ４の正極は、電源入力ヌル線端Ｎｉｎと電気的に接続する。第二整流ダイオードＢＤ２の負極と第四整流ダイオードＢＤ４の負極は、電圧安定回路１３に電気的に接続する。第二整流ダイオードＢＤ２の負極と第四整流ダイオードＢＤ４の負極はさらに、フィルターキャパシターＣ２の正極にも電気的に接続する。フィルターキャパシターＣ２の反対端は、アースする。フィルターキャパシターＣ２は、整流フィルター回路１２が出力する電圧をフィルタリングする。
【００１３】
電圧安定回路１３は、相互に並列接続する第一電圧安定ダイオードＤ１と第二電圧安定ダイオードＤ２である。整流フィルター回路１２と電圧安定回路１３との間には、第二レジスターＲ２を接続する。第二レジスターＲ２の一端と、第二整流ダイオードＢＤ２の負極及び第四整流ダイオードＢＤ４の負極は、相互に接続し、第二レジスターＲ２の反対端と、第一電圧安定ダイオードＤ１及び第二電圧安定ダイオードＤ２は相互に接続する。電圧安定回路１３は、整流フィルター回路１２が出力した電圧を安定させる。パワーサプライユニット１は、入力する電源を調整し、特定電圧を、探知ユニット２とスイッチユニット３に提供する。
【００１４】
探知ユニット２は、位置が相対する光発射ユニット２１と光受領ユニット２２を備える。光発射ユニット２１は、相互に並列接続する第一発光部品Ｅ１、第二発光部品Ｅ２、第三発光部品Ｅ３を備える。光発射ユニット２１の一端はアースし、反対端には、第三レジスターＲ３を接続する。第三レジスターＲ３の反対端は、第二電圧安定ダイオードＤ２の一端に電気的に接続する。本実施例中の第一発光部品Ｅ１、第二発光部品Ｅ２、第三発光部品Ｅ３は、赤外線発射器である。
【００１５】
光受領ユニット２２は、相互に並列接続する第一感光部品Ｔ１、第二感光部品Ｔ２、第三感光部品Ｔ３を備える。光受領ユニット２２の一端には、第四レジスターＲ４を接続する。第四レジスターＲ４の反対端は、第二電圧安定ダイオードＤ２の一端に電気的に接続する。光受領ユニット２２の反対端には、第五レジスターＲ５を接続し、第五レジスターＲ５の反対端は、アースする。第一感光部品Ｔ１、第二感光部品Ｔ２、第三感光部品Ｔ３と、第一発光部品Ｅ１、第二発光部品Ｅ２、第三発光部品Ｅ３の位置は、それぞれ相対し、ソケットの挿入口の両側に位置する。本実施例中では、第一感光部品Ｔ１、第二感光部品Ｔ２、第三感光部品Ｔ３は、フォトレジストである。
【００１６】
スイッチユニット３は、電流導引ダイオードＤ３、発光ユニットＤ４、第一スイッチユニットＱ１、第二スイッチユニットＱ２、第六レジスターＲ６、第七レジスターＲ７、第八レジスターＲ８、インダクター式スイッチ部品Ｓ１を備える。本実施例中では、第一スイッチユニットＱ１、第二スイッチユニットＱ２は、トランジスターである。第七レジスターＲ７の一端と、第二スイッチユニットＱ２のコレクター極は相互に接続し、反対端と、第二スイッチユニットＱ２のエミッター極は、相互に接続し、アースする。第二スイッチユニットＱ２のベース極と、第五レジスターＲ５の一端は、相互に接続する。第六レジスターＲ６の一端と、第二スイッチユニットＱ２のコレクター極、第一スイッチユニットＱ１のベース極及び第七レジスターＲ７の一端は、電気的に接続し、反対端は、第二電圧安定ダイオードＤ２の一端に電気的に接続する。第一スイッチユニットＱ１のベース極と第七レジスターＲ７の一端は接続し、エミッター極はアースし、コレクター極は電流導引ダイオードＤ３の一端に接続し、電流導引ダイオードＤ３の反対端は、第二電圧安定ダイオードＤ２に電機的に接続する。電流導引ダイオードＤ３は、第一スイッチユニットＱ１がオフである時、回流する電流を導引し、こうして第一スイッチユニットＱ１を保護することができる。
【００１７】
本実施例中において、インダクター式スイッチ部品Ｓ１は、電磁ブレーカーである。インダクター式スイッチ部品Ｓ１中のスイッチ一端は、電源入力ライブ線端Ｌｉｎに電気的に接続し、反対の接続端と第八レジスターＲ８の一端は相互に接続する。第八レジスターＲ８の一端は、電源出力ライブ線端Ｌｏｕｔに接続し、反対端は、発光ユニットＤ４に電気的に接続する。発光ユニットＤ４の反対端は、電源出力ヌル線端Ｎｏｕｔに接続し、電源入力ヌル線端Ｎｉｎにに電気的に接続する。プラグがソケットに挿入されると、電源出力ライブ線端Ｌｏｕｔ及び電源出力ヌル線端Ｎｏｕｔと外部のプラグのピンは、電気的に接続する。本実施例中の発光ユニットＤ４は、発光ダイオードである。発光ユニットＤ４は、インダクター式スイッチ部品Ｓ１が磁場を持つことで導通状態にある時には、スイッチインジケーターとなる。
【００１８】
プラグがソケットの挿入口に挿入されていない時には、第一発光部品Ｅ１、第二発光部品Ｅ２、第三発光部品Ｅ３が発する探知光線はすべて、相互に対応する第一感光部品Ｔ１、第二感光部品Ｔ２、第三感光部品Ｔ３により受け取られる。こうして、第五レジスターＲ５に電流が通過し、高電圧制御信号が第二スイッチユニットＱ２へと伝送される。高電圧制御信号は、第二スイッチユニットＱ２を駆動し導通させ、こうして第一スイッチユニットＱ１はオフとなる。よって、インダクター式スイッチ部品Ｓ１は、磁場がないことでオフ状態となり、電源出力ライブ線端Ｌｏｕｔは、電源を出力しないため、コンセントには電流が流れない。プラグのピンが３個未満でソケットに挿入する時には(ピンがソケットの挿入口中に正確に挿入されない、或いは異物が挿入される)、第五レジスターＲ５に電流が通過し、こうしてソケットには電源が出力されない。
【００１９】
プラグが正確にソケットに挿入されると、相互に対応する第一発光部品Ｅ１、第二発光部品Ｅ２、第三発光部品Ｅ３が発する探知光線は、プラグの端子により遮られる。こうして、第五レジスターＲ５には電流が通過せず、第二スイッチユニットＱ２は、低電圧制御信号を受信し、切断状態となる。こうして、第七レジスターＲ７には電流が通過し、第一スイッチユニットＱ１を導通させる。よって、インダクター式スイッチ部品Ｓ１は、磁場があることで導通状態となり、電源出力ライブ線端Ｌｏｕｔは電源を出力し、ソケットは電源を出力する。
【００２０】
本発明の感電防止ソケット回路１００は、探知ユニット２が探知光線を発送及び受信することで、プラグのピンが、ソケットの挿入口中に正確に挿入されたか否かを判断する。こうして、ソケットの電源の導通或いは遮断を制御し、感電防止ソケットの目的を達成し、安全性と使用の利便性を使用者に提供することができる。
【符号の説明】
【００２１】
１００  感電防止ソケット回路
１  パワーサプライユニット
１１  電圧低下回路
１２  整流フィルター回路
１３  電圧安定回路
Ｃ１  電圧低下キャパシター
Ｒ１  第一レジスター
Ｒ２  第二レジスター
ＢＤ１  第一整流ダイオード
ＢＤ２  第二整流ダイオード
ＢＤ３  第三整流ダイオード
ＢＤ４  第四整流ダイオード
Ｃ２  フィルターキャパシター
Ｄ１  第一電圧安定ダイオード
Ｄ２  第二電圧安定ダイオード
２  探知ユニット
２１  光発射ユニット
２２  光受領ユニット
Ｅ１  第一発光部品
Ｅ２  第二発光部品
Ｅ３  第三発光部品
Ｔ１  第一感光部品
Ｔ２  第二感光部品
Ｔ３  第三感光部品
Ｒ３  第三レジスター
Ｒ４  第四レジスター
Ｒ５  第五レジスター
３  スイッチユニット
Ｑ１  第一スイッチユニット
Ｑ２  第二スイッチユニット
Ｓ１  インダクター式スイッチ部品
Ｄ３  電流導引ダイオード
Ｄ４  発光ユニット
Ｒ６  第六レジスター
Ｒ７  第七レジスター
Ｒ８  第八レジスター
Ｌｉｎ  電源入力ライブ線端
Ｎｉｎ  電源入力ヌル線端
Ｌｏｕｔ  電源出力ライブ線端
Ｎｏｕｔ  電源出力ヌル線端
【図１】
2010251133.tif 000003